(57)【要約】【課題】投影サイズの変更ができるとともに、携帯性も向上させた投影装置を提供する。【解決手段】投影装置１０は、投影部を有する本体部２０と、投影時の設置面である設置面部５２を有する投影装置用ケース５０が設けられる。そして、本体部には、収納時に使用される収納用係合部３０及び投影時に使用される調整用係合部４０が形成される。投影装置用ケース５０には、収納用係合部３０及び調整用係合部４０の第一係合部４１及び第二係合部４４とスライド係合可能に形成されるケース側係合部５６が形成される。収納用係合部３０とケース側係合部５６が係合する方向は、調整用係合部４０とケース側係合部５６が係合する方向と反対方向となるよう形成されている。【選択図】  図３
2015176035.tif 000002
【特許請求の範囲】
【請求項１】
投射口を含む投影部を有する本体部と、
投影時の設置面を有する投影装置用ケースと、
を含む投影装置であって、
前記本体部は、収納時に使用される収納用係合部及び投影時に使用される調整用係合部を有するとともに、
前記投影装置用ケースは、前記収納用係合部及び前記調整用係合部のそれぞれとスライド係合可能に形成されるケース側係合部を有し、
前記収納用係合部を前記ケース側係合部と係合させる方向が、前記調整用係合部を前記ケース側係合部と係合させる方向とは反対であることを特徴とする投影装置。
【請求項２】
前記投影装置用ケースは、前記本体部の外表面に形成される投射口、操作部、液晶部、各種端子のうち、少なくとも一つを覆うように形成されることを特徴とする請求項１に記載の投影装置。
【請求項３】
前記投影装置用ケースは、少なくとも二つの面が開口された略直方体形状として形成されることを特徴とする請求項１又は請求項２に記載の投影装置。
【請求項４】
前記収納用係合部及び前記調整用係合部は、本体部側面の長手方向に沿って前記本体部側面に設けられていることを特徴とする請求項１乃至請求項３の何れか記載の投影装置。
【請求項５】
前記調整用係合部は、長さを異ならせて平行に複数設けられていることを特徴とする請求項１乃至請求項４の何れか記載の投影装置。
【請求項６】
前記調整用係合部には、該当する投影サイズ表示が記載されていることを特徴とする請求項５に記載の投影装置。
【請求項７】
前記本体部は、前記投影部を制御する制御部と、投影サイズを検出する投影サイズ検出部と、を有し、
前記制御部は、前記投影サイズ検出部の検出結果に基づいて、投影光の輝度調節をすることを特徴とする請求項１乃至請求項６の何れか記載の投影装置。
【請求項８】
前記本体部は、前記投影部を制御する制御部と、投影サイズを検出する投影サイズ検出部と、を有し、前記制御部は、前記投影サイズ検出部の検出結果に基づいて、焦点調節をすることを特徴とする請求項１乃至請求項７の何れか記載の投影装置。
【請求項９】
前記本体部は、開閉可能に設けられた投光口蓋を有し、
前記投光口蓋は、前記投射口からの投影光を反射する非球面ミラーと、前記非球面ミラーからの投影光を投影面に出射する平面ミラーと、を有することを特徴とする請求項１乃至請求項８の何れか記載の投影装置。
【請求項１０】
前記投影装置用ケースは、前記設置面による支持を設置面の面積を拡大することで補助する補助設置面部材を有することを特徴とする請求項１乃至９の何れか記載の投影装置。
【請求項１１】
前記補助設置面部材は、前記投影装置用ケースとヒンジ接続されていることを特徴とする請求項１０に記載の投影装置。
【請求項１２】
前記補助設置面部材は、前記設置面と磁力により着脱自在に保持されることを特徴とする請求項１０に記載の投影装置。
【請求項１３】
前記投影装置用ケースの前記設置面は、該設置面の水平度を調整可能とする調整部を有することを特徴とする請求項１乃至請求項１２の何れか記載の投影装置。
【請求項１４】
前記本体部は、前記本体部の内部の冷却を行うための長孔状に形成された吸排気孔を有し、
該吸排気孔は、長手方向が前記収納用係合部及び前記調整用係合部と前記ケース側係合部とがスライド係合する方向と平行となるよう配置されていることを特徴とする請求項１乃至請求項１３の何れか記載の投影装置。
【請求項１５】
投影装置の本体部から投影装置用ケースを取り外す工程と、
前記本体部に形成された調整用係合部のうち任意の前記調整用係合部を選択して投影サイズを選択する工程と、
選択した投影サイズに合わせて、前記本体部から前記投影装置用ケースを取り外した方向と反対方向から、前記投影装置用ケースに設けられたケース側係合部と選択した前記調整用係合部と、をスライド係合する工程と、
前記投影装置用ケースの設置面を設置して、下向きに投影する工程と、
を有することを特徴とする投影装置の投影方法。
【発明の詳細な説明】
【技術分野】
【０００１】
本発明は、小型の投影装置に関し、具体的には、投影装置を保護する投影装置用ケースを有する投影装置に関する。
【背景技術】
【０００２】
従来、展示会や会議等においてプレゼンテーション等をする際には、プロジェクタ等の投影装置が用いられている。そして、近年では、携帯可能なノート型のパーソナルコンピューターとともにモバイル用の小型プロジェクタを携帯して、様々な場所でプロジェクタ等の投影装置を用いたプレゼンテーション等がなされている。
【０００３】
そして、少人数で行われるスモールミーティングや商談では、投影用のスクリーンが設置されていない場合もある。そこで、スクリーンの代わりに机上面に投影し、スモールミーティング等に利用することのできるモバイル用の小型プロジェクタが開発されている。
【０００４】
特許文献１においては、机上に設置する台座から垂直方向に伸びる伸縮自在な支柱に取り付けられたプロジェクタが開示されている。このプロジェクタにおいては、下方向の机上面に向けて投影画像を投影する。そして、伸縮自在な支柱を調整して、投影面のサイズを調整し、制御手段により投影光の輝度調節がされる。
【先行技術文献】
【特許文献】
【０００５】
【特許文献１】特開２００８−７６５８２号公報
【発明の概要】
【発明が解決しようとする課題】
【０００６】
特許文献１で開示されるプロジェクタは、投影サイズを伸縮自在な支柱により変更することはできるが、支柱を一番短く縮めても、装置全体としてはかさばったものとなってしまう。従って、プロジェクタを含む装置全体の携帯性が低く、取り扱い難い。
【０００７】
よって、本発明は、投影サイズの変更ができるとともに、携帯性も向上させた投影装置を提供することを目的とする。
【課題を解決するための手段】
【０００８】
本発明における投影装置は、投射口を含む投影部を有する本体部と、投影時の設置面を有する投影装置用ケースと、を含む投影装置であって、前記本体部は、収納時に使用される収納用係合部及び投影時に使用される調整用係合部を有するとともに、前記投影装置用ケースは、前記収納用係合部及び前記調整用係合部のそれぞれとスライド係合可能に形成されるケース側係合部を有し、前記収納用係合部を前記ケース側係合部と係合させる方向が、前記調整用係合部を前記ケース側係合部と係合させる方向とは反対であることを特徴とする。
【０００９】
本発明における投影装置の投影方法は、投影装置の本体部から投影装置用ケースを取り外す工程と、前記本体部に形成された調整用係合部のうち任意の前記調整用係合部を選択して投影サイズを選択する工程と、選択した投影サイズに合わせて、前記本体部から前記投影装置用ケースを取り外した方向と反対方向から、前記投影装置用ケースに設けられたケース側係合部と選択した前記調整用係合部と、をスライド係合する工程と、前記投影装置用ケースの設置面を設置して、下向きに投影する工程と、を有することを特徴とする。
【発明の効果】
【００１０】
本発明によれば、投影サイズの変更ができ、携帯性も向上させた投影装置用ケースを備えた投影装置及びこの投影装置を用いた投影方法を提供することができる。
【図面の簡単な説明】
【００１１】
【図１】本発明の実施形態に係る投影装置の外観斜視図である。
【図２】本発明の実施形態に係る投影装置用ケースの外観斜視図である。
【図３】本発明の実施形態に係る投影装置に投影装置用ケースが取り付けられた外観斜視図である。
【図４】本発明の実施形態に係る投影装置により投影している様子を示す説明図である。
【図５】本発明の実施形態に係る投影装置により投影している様子を示す説明図である。
【図６】本発明の実施形態に係る投影装置により投影している様子を示す説明図である。
【図７】本発明の実施形態に係る投影装置用ケースの別の実施形態を示す外観斜視図である。
【図８】本発明の実施形態に係る投影装置用ケースのさらに別の実施形態を示す外観斜視図である。
【図９】本発明の実施形態に係る投影装置用ケースのさらに別の実施形態を示す外観斜視図である。
【図１０】本発明の実施形態に係る投影装置用ケースのさらに別の実施形態を示す外観斜視図である。
【図１１】本発明の実施形態に係る投影装置用ケースのさらに別の実施形態を示す外観斜視図である。
【図１２】本発明の実施形態に係る投影装置の別の実施形態を示す外観斜視図である。
【発明を実施するための形態】
【００１２】
以下、本発明の実施形態を図に基づいて説明する。図１は本発明に係る投影装置１０の外観斜視図である。この投影装置１０は、光源や、この光源からの光源光が照射される表示素子としてのＤＭＤ（デジタル・マイクロミラー・デバイス）や、このＤＭＤから出射される投影画像を投射口２１から出射させる投影光学系等の光学系を備える投影部が設けられている。そして、この投影部は、投影装置１０に設けられる制御部により制御されている。
【００１３】
この投影装置１０は、底面１４を下向きにして机上面等に設置して、投射口２１から投影光を下向きに出射させて机上面等を投影面とすることのできる小型のプロジェクタとして形成されるものである。そこで、以下の説明においては、底面１４側を下方向とし、反対側を上方向として説明する。また、投射口２１が設けられる側の面を正面とし、反対側を背面とする。そして、投影装置１０を正面から見て左側を左とし、右側を右とする。
【００１４】
投影装置１０は、その筐体である本体部２０を略直方体状の箱型形状として形成される。本体部２０は、正面側の上方に、左右に渡って断面略Ｖ字状の傾斜部１８が形成されている。傾斜部１８の上側の傾斜面には、投射口２１が設けられている。投射口２１は、ガラス板によるカバーの内部に投影光学系としての投影レンズが内蔵されている。また、投影装置１０の筐体の正面下方には、電源スイッチや各種設定を行うためのキーからなる操作部２３が設けられている。操作部２３の上方には、各種の設定情報やエラー情報が表示される液晶パネルからなる液晶部２５が設けられている。
【００１５】
また、操作部２３の下方の二点鎖線で囲む領域には、ＵＳＢ端子やアナログＲＧＢ映像信号が入力される映像信号入力用のＤ−ＳＵＢ端子等の入出力コネクタ部や電源アダプタプラグ等の各種端子２７が設けられている。
【００１６】
投影装置１０の左右の側面には、収納用係合部３０及び調整用係合部４０が形成されている。なお、図１では、左側の側面のみが表れている。収納用係合部３０は、調整用係合部４０よりも正面側に配置されている。収納用係合部３０は、溝状凹部として、本体部２０の上下方向に長く形成されている。そして、収納用係合部３０の上端は開口されている。収納用係合部３０の下端は、壁部３１が形成されている。そして、図示されない右側の側面にも同じ収納用係合部３０及び調整用係合部４０が形成されている。
【００１７】
調整用係合部４０は、さらに複数の係合部により形成されている。本実施形態においては、調整用係合部４０として、第一係合部４１と、第二係合部４４の二つの係合部が形成されている。第一係合部４１及び第二係合部４４は、凹状溝部として本体部２０の上下方向に長く形成されている。そして、第一係合部４１及び第二係合部４４は、下端が開口されている。すなわち、第一係合部４１及び第二係合部４４の開口部は、収納用係合部３０の開口部と反対側に開口されている。第一係合部４１及び第二係合部４４は、それぞれの上端に壁部４２，４５が形成されている。
【００１８】
そして、これらの収納用係合部３０及び調整用係合部４０の凹状溝部は全て同じ幅及び深さの大きさで形成され、本体部２０の側面の長手方向に沿って、本体部２０の側面に設けられている。この収納用係合部３０及び調整用係合部４０である第一係合部４１及び第二係合部４４が図示しない右側面に左側面と対称に形成されている。
【００１９】
また、調整用係合部４０の第一係合部４１及び第二係合部４４は、長さを異ならせて平行に設けられている。そして、本実施形態においては、第一係合部４１は、第二係合部４４よりも長く形成されていて、第一係合部４１及び第二係合部４４には、壁部４２，４５の上方にそれぞれ「Ｍ」、「Ｌ」の表示がなされている。この表示は、後述するが、投影サイズと対応した表記とされている。
【００２０】
本体部２０の左右の側面には、投影装置１０の内部機器の冷却のための吸排気を行う吸排気孔２２が設けられている。この吸排気孔２２は、上下方向に長く伸びた、多数の長孔により形成されている。そして、吸排気孔２２は、長孔が長く伸びる方向が、第一係合部４１及び第二係合部４４の溝部が伸びる方向と平行になるように形成されている。換言すれば、吸排気孔２２の長孔が伸びる方向は、収納用係合部３０及び調整用係合部４０と、後述のケース側係合部５６（図２参照）が係合する方向と平行になるよう配置されている。そして、第一係合部４１及び第二係合部４４と吸排気孔２２が重なる部分では、第一係合部４１及び第二係合部４４の溝部の底部部分（奥部分）にも吸排気孔２２の長孔が開けられている。また、底面１４にも、吸排気孔２８が設けられている。
【００２１】
次に、図２に基づいて、投影装置用ケース５０について説明する。図２は、投影装置用ケース５０の外観斜視図である。投影装置用ケース５０は、二つの面が開口された略直方体状の箱型形状として形成されている。投影装置用ケース５０には、保護面部５１が設けられている。そして、投影装置用ケース５０の開口されていない側面には、保護面部５１から直立した長矩形として設置面部５２が形成されている。そして、投影装置用ケース５０の左右には、保護面部５１から直立し、設置面部５２の左右方向の両端と直角に接続する保護側面部５３が形成されている。
【００２２】
保護側面部５３は、設置面部５２と両端部からそれぞれ接続される大側面部５３ａと、この大側面部５３ａと連結する小側面部５３ｂとにより形成されている。大側面部５３ａは、小側面部５３ｂよりも、保護面部５１からの高さを高くして形成されている。そして、大側面部５３ａと小側面部５３ｂが連結する部分である側面連結部５３ｃは、大側面部５３ａ側を凸湾曲状とし、小側面部５３ｂ側を凹湾曲状に形成されている。保護側面部５３の長手方向の端部（すなわち小側面部５３ｂの端部）と保護面部５１の端部５１ａは、設置面部５２からの距離が同一であって、端面が連続して形成されている。
【００２３】
さらに、それぞれの保護側面部５３の内面には、ケース側係合部５６が形成されている。ケース側係合部５６は、断面凸形状とされる凸状突起として長手方向に長く伸びて形成されている。ケース側係合部５６の設置面部５２側の基端部５６ａは、設置面部５２と保護側面部５３の両端部のそれぞれとが交差する角部に位置している。
【００２４】
そして、それぞれのケース側係合部５６における設置面部５２と反対側の端部５６ｂは、小側面部５３ｂの保護面部５１と同一の端部５１ａよりも設置面部５２側に下がって（寄って）位置している。そして、左右のケース側係合部５６の凸状突起は同じ幅及び高さを有して同じ長さとして形成されている。このケース側係合部５６は、図１に示す投影装置１０の側面に形成される収納用係合部３０及び調整用係合部４０の幅と略同一幅とされ、両者が適度の摩擦を伴ってスライド係合可能に形成されている。
【００２５】
次に、投影装置１０に投影装置用ケース５０との関係における、収納状態と投影状態について、図３〜図６を用いて説明する。
＜収納状態＞
先ず、投影装置１０に投影装置用ケース５０が装着された投影装置１０の収納状態を図３に基づいて説明する。ここで、収納状態とは、投射口２１、操作部２３、液晶部２５及び各種端子２７が保護されている状態となるよう投影装置用ケース５０が投影装置１０に装着されている状態をいう。
【００２６】
投影装置用ケース５０を収納状態として投影装置１０に装着するには、先ず、投影装置用ケース５０の向きが、保護面部５１が投影装置１０の正面側であって、設置面部５２が投影装置１０の上側となるよう準備する。次に、ケース側係合部５６を収納用係合部３０の上側に形成される開口端から挿入する。そして、投影装置用ケース５０を下方向にスライドさせ、ケース側係合部５６の端部５６ｂを収納用係合部３０の壁部３１と当接させる。すると、図３に示す収納状態となる。
【００２７】
＜投影状態＞
次に、投影装置１０の投影状態について説明する。図４は、机上に投影装置１０を設置した投影状態を示す外観斜視図である。投影装置１０は、底面１４を設置面として机上面２００に設置されている。投影光は、投射口２１から下向きに出射される。よって、机上面２００に投影面１１０が形成されている。
【００２８】
また、投影装置用ケース５０を使用した投影装置１０の別の投影状態を図５に基づいて説明する。図５では、ケース側係合部５６は、調整用係合部４０のうちの、第一係合部４１にスライド係合されている。このように投影装置用ケース５０を投影装置１０に装着するには、先ず、投影装置用ケース５０の向きを、保護面部５１を背面側にして、設置面部５２を下側になるよう準備する。
【００２９】
次に、調整用係合部４０のうち、「Ｍ」の表示が記載されている第一係合部４１の下側に形成される開口部から挿入する。そして、投影装置用ケース５０を上方向にスライドさせ、ケース側係合部５６の端部５６ｂを第一係合部４１の壁部４２と当接させる。この状態で、設置面部５２の外表面を設置面として机上面２００に設置して投影すれば、図５の投影状態となる。なお、このとき左右側面の吸排気孔２２の一部が投影装置用ケース５０により塞がれてしまうが、底面１４に設けられた吸排気孔２８により吸排気が行われる。
【００３０】
また、投影装置用ケース５０を使用した投影装置１０のさらに別の投影状態を図６に基づいて説明する。図６では、ケース側係合部５６は、調整用係合部４０のうちの、第二係合部４４にスライド係合されている。このように投影装置用ケース５０を投影装置１０に装着するには、先ず、投影装置用ケース５０の向きを、保護面部５１を背面側にして、設置面部５２を下側になるよう準備する。
【００３１】
次に、調整用係合部４０のうち、「Ｌ」の表示が記載されている第二係合部４４の下側に形成される開口部から挿入する。そして、投影装置用ケース５０を上方向にスライドさせ、ケース側係合部５６の端部５６ｂを第二係合部４４の壁部４５と当接させる。この状態で、設置面部５２の外表面である設置面を机上面２００に設置して投影すれば、図６の投影状態となる。
【００３２】
以上の図４〜図６に示す投影状態は、図４の投影面１１０の投影サイズが一番小さく形成され、図５の投影面１２０、図６の投影面１３０の順に投影サイズが大きくなる。これは、調整用係合部４０の第一係合部４１と第二係合部４４の長さを異ならせて平行に設けることにより、机上面２００から投射口２１までの高さを変化させることができるからである。すなわち、投影面１１０が投影される際の机上面２００から投射口２１までの高さが一番低く、投影面１２０、投影面１３０となるに従って、机上面２００から投射口２１までの高さが高くなる。
【００３３】
ここで、机上面２００から投射口２１までの高さが高くなり、投影距離が長くなると、投影光の輝度が一定の場合、投影面における投影画像の照度は暗くなる。この場合、手動により投射口２１から出射する投影光の輝度を明るく調節することもできるが、以下の構成により自動で輝度調節を行うことができる。
【００３４】
すなわち、投影装置１０は、選択した現在投影サイズを検出する投影サイズ検出部が設けられる。具体的には、例えば、調整用係合部４０の各凹状溝部である第一係合部４１及び第二係合部４４にリミットスイッチを設けて投影サイズ検出部を形成する。そして、投影装置用ケース５０のケース側係合部５６が調整用係合部４０にスライド係合されると、リミットスイッチがケース側係合部５６と当接し、リミットスイッチから検出信号を制御部に送信されるよう構成する。
【００３５】
制御部においては、投影サイズ検出部からの検出信号に基づいて、選択された投影サイズに対応した輝度で投影するよう投影部を制御する。制御部には、予め投影サイズが大きくなるに従って投影光の輝度が高くなるよう設定しておく。投射口２１から机上面２００までの距離である投影距離は既知であるので、投影サイズに応じた適切な輝度を予め設定することができる。このように投影装置１０を構成することにより、選択した投影サイズによらず、投影面１１０，１２０，１３０の照度が一定となるよう自動で設定することができる。また、同様に選択された投影サイズに合わせて、制御部により投影部を制御して、焦点調節を行うこともできる。
【００３６】
以上の本発明に係る各実施形態における投影装置１０は、以下に説明する方法により投影することができる。先ず、投影装置１０の収納状態においては、投影装置１０に投影装置用ケース５０が装着されているので、本体部２０から投影装置用ケース５０を上方にスライドさせて取り外す。そして、使用者は、投影サイズを選択する。一番小さい投影サイズである投影面１１０を選択した場合には、投影装置用ケース５０を用いずに、投影装置１０を机上面２００に設置して投影を行う。
【００３７】
なお、上記では、一番小さい投影サイズである投影面１１０を選択した場合には、図４に示すように、投影装置用ケース５０と分離した状態で、投影装置１０を机上面２００に設置して投影を行うとして説明した。
【００３８】
しかし、投影装置１０と投影装置用ケース５０の厚さ、収納用係合部３０の両者の厚さ方向に対する位置が適切であれば、投影装置用ケース５０の保護面部５１が、投影装置１０の背面側に対向するように（換言すれば、投影装置用ケース５０を裏返しにして）、投影装置用ケース５０を投影装置１０の収納用係合部３０に係合させた状態で投影させることもできる。
【００３９】
そのようにすれば、一番小さい投影サイズで投影させたい場合でも、投影装置用ケース５０の置き場所を探すことなく、投影させることができる。
【００４０】
投影サイズが二番目に大きいサイズである投影面１２０又は一番大きいサイズである投影面１３０を選択した場合には、本体部２０から投影装置用ケース５０等を取り外した方向と反対方向から（換言すれば、下側から上方に向けて）、ケース側係合部５６と、選択した調整用係合部４０をスライド係合させる。例えば、調整用係合部として、一番大きい投影サイズに対応する第二係合部４４を選択した場合には、この第二係合部４４にケース側係合部５６をスライド係合させる。そして、選択した調整用係合部４０を使用して投影を行う場合には、投影装置用ケース５０の設置面部５２の外表面を設置面として机上面２００に設置して、投影を行う。
【００４１】
次に、別の実施形態に係る投影装置用ケース６０について、図７に基づいて説明する。図７は、投影装置用ケース６０の外観斜視図である。本実施形態における投影装置用ケース６０には、前述の実施形態における投影装置用ケース５０に加えて、設置面部５２の設置面積を増大させる補助設置面部材６１が設けられている。
【００４２】
補助設置面部材６１は、左右に長い略矩形形状の平板状に形成されている。補助設置面部材６１は、ヒンジ６２により、投影装置用ケース６０とヒンジ接続され、開閉自在に設けられている。そして、補助設置面部材６１は、設置面部５２と共に平坦面を形成する。ヒンジ６２は、補助設置面部材６１が設置面部５２の外表面と平坦面を形成する位置にて、図示しないロック手段によりロックすることができる。
【００４３】
このように、投影装置用ケース６０における補助設置面部材６１により、投影装置用ケース６０の設置面積が増大する。なお、投影装置１０の収納状態の時には、保護面部５１の外表面に形成した凹部６４に補助設置面部材６１を閉じて収納することができる。この場合においても、ロック手段により補助設置面部材６１の開閉をロックすれば、収納状態においても不用意に補助設置面部材６１が開いてしまうことはない。
【００４４】
次に、さらに別の実施形態に係る投影装置用ケース７０について、図８に基づいて説明する。図８は、投影装置用ケース７０の外観斜視図である。投影装置用ケース７０には、前述の実施形態における投影装置用ケース５０に加えて、設置面部５２の設置面積を増大させる別の補助設置面部材７１が設けられている。
【００４５】
補助設置面部材７１は、左右方向に長い略矩形の平板状に形成される。そして、補助設置面部材７１は、長辺側の側面から二箇所に固定突起７２が突出している。固定突起７２は、補助設置面部材７１の長辺側に形成された突起である。一方、設置面部５２と保護面部５１が交差する角部には、固定突起７２に対応して、固定突起７２が挿入される挿入孔７３が形成されている。
【００４６】
図８に示すように、補助設置面部材７１は、固定突起７２を挿入孔７３に背面側から抜差しすることにより着脱可能に形成される。
【００４７】
なお、挿入孔７３の形は、背面側（換言すれば、保護面部５１の外表面側）から見て、底面側（底辺側、すなわち設置面部５２側）の開口長が短く、上側（上辺側、すなわち設置面部５２と反対側）の長さが長い台形形状となっていて、補助設置面部材７１の突起もその台形形状に対応するように、図８において、手前側の左右方向長さが長く、奥側の左右方向長さが短い、正面側から見ると、上辺側が長い台形形状の断面として形成される突起となっている。
【００４８】
よって、投影装置１０による投影状態においては、固定突起７２を挿入孔７３に挿入することにより、補助設置面部材７１は背面となる保護面部５１との角度が９０°に保たれるようにして確実に固定される。そして、設置面部５２と共に、補助設置面部材７１は平坦面を形成する。
【００４９】
投影装置１０の収納状態においては、補助設置面部材７１は、保護面部５１に形成された凹部７４に収納することができる。補助設置面部材７１の凹部７４への固定は、機構的な係止構造を用いてもよいし、磁石等により取り付けるようにしてもよい。
【００５０】
次に、さらに別の実施形態に係る投影装置用ケース８０について、図９に基づいて説明する。図９は、投影装置用ケース８０の外観斜視図である。投影装置用ケース８０は、前述の実施形態における投影装置用ケース５０に加えて、設置面部５２の設置面積を増大させるさらに別の補助設置面部材８１を設けた。
【００５１】
補助設置面部材８１は、略長矩形の平板状に形成される。補助設置面部材８１の平面の面積は、設置面部５２の外表面の面積より大きい。そして、補助設置面部材８１の一方側の平面には、設置面部５２が嵌合可能な凹部８２が形成されている。凹部８２には、投影装置用ケース８０の側面に形成される係合凹部８５と係合可能な突起８３及び出没可能に形成される作動突起８４が設けられている。これら係合凹部８５と突起８３及び作動突起８４の係合により、投影装置用ケース８０は、補助設置面部材８１に対して着脱自在に固定される。
【００５２】
補助設置面部材８１の投影装置用ケース８０への取り付けは、上記の機構的な係合の他、凹部８２と設置面部５２の両方又は一方に磁石を設けて、磁力により固定させることができる。なお、凹部８２又は設置面部５２の一方に磁石を設けた場合には、他方には、この磁石に吸着される金属部材を設けることができる。凹部８２と設置面部５２の両方に磁石を設けた場合には、互いに吸着するように磁石を設けることができる。
【００５３】
さらに、補助設置面部材８１の凹部８２は、投影装置１０の本体部２０における底面１４とも着脱されるように形成することもできる。投影装置１０の本体部２０とも着脱できるようにすることで、投影サイズが一番小さい投影状態においても補助設置面部材８１を使用することができる。
【００５４】
補助設置面部材８１の収納は、投影装置用ケース８０の保護面部５１の外表面と着脱自在に形成してもよいし、投影装置１０の本体部２０の背面と着脱自在に形成してもよい。これらの着脱機構も、機構的な係合により着脱自在としてもよいし、磁石により着脱自在に形成してもよい。
【００５５】
これらの他、例えば、図１０に示すように、設置面部５２と連結した棒状の補助設置面部材９１を机上面２００に当接させれば、投影装置用ケースの設置を補助して、投影装置１０の支持を安定させることができる。この棒状の補助設置面部材９１についても、投影装置用ケース又は投影装置に着脱自在に形成するようにしてもよいし、投影装置用ケースの保護面部５１とユニバーサルジョイント等により結合させて、投影装置用ケースに収納されるように形成してもよい。また、投影装置用ケース内に伸縮するように収納されるようになっていてもよい。なお、棒状の補助設置面部材は、投影装置１０の重量や設置状態に合わせて、その本数を一本あるいは三本以上としてもよい。
このような構成とすると、投影装置１０が背面側又は正面側に倒れることを防止することができる。また、図７や図８に示す構造と併用されるようにしてもよい。
【００５６】
また、例えば、図１１に示すように、補助設置面部材１０１として、図７における補助設置面部材６１と同様の左右に長い略矩形形状の平板状の板が、通常時（収納状態）には、設置面部５２の内側に収納されている。そして、その平板状の板を、投影状態時には設置面部５２の内側から１８０°回転させるようにして、図示しないロック手段によりロックされるようにして設置面を広くするような構造としてもよい。
このような構成によっても、図５や図６の場合に比べて、投影装置１０が背面側又は正面側に倒れることを防止することができる。また、図７や図８に示す構造と併用し、背面側及び正面側に設置面を広くするようにしてもよい。
【００５７】
次に、本発明の実施形態における投影装置１０に換えて、投影装置３００を用いた実施形態を図１２に示す。図１２は投影装置３００の外観斜視図である。図１２に示す投影装置３００は、筐体である本体部３２０を略直方体状の箱形状に形成している。本体部３２０の平面部には、電源キースイッチや各種設定を行うキースイッチが設けられる操作部３２３や、各種表示がなされる液晶部３２５や、各種端子部３２７が設けられている。投影装置３００においては、これら操作部３２３，液晶部３２５，各種端子部３２７が設けられる面が正面側とされる。そして、本体部３２０の正面側の平面には、開閉自在に形成される投光口蓋３２１が形成されている。
【００５８】
投影装置３００は、投影光が出射する部分を開閉することができるリトラクタブル式の投影装置である。投影装置３００は、投光口蓋３２１の内面に非球面ミラー３５１が設けられている。投影装置３００は、非球面ミラー３５１と対向する本体部３２０の内部に平面ミラー３５２が設けられている。そして、左右方向の位置を平面ミラー３５２と同じにした本体部３２０の開口部の縁部には、投射口３５３が設けられている。投射口３５３から出射した投影光は、非球面ミラー３５１により平面ミラー３５２に向けて反射される。
【００５９】
平面ミラー３５２で反射された投影光は、投光口蓋３２１が開口する方向に向けて投影される。すなわち、投影装置３００は、投光口蓋３２１が開口する方向の側面を底面３１４として、机上等に設置して使用されるものである。
【００６０】
本実施形態における投影装置３００においても、本体部３２０の左右の側面に収納用係合部３０と、第一係合部４１及び第二係合部４４からなる調整用係合部４０が形成されている。そして、収納用係合部３０及び調整用係合部４０が長く伸びる方向に合わせた吸排気孔３２２が左右の側面の前後に設けられている。そして、投影装置３００に対しても、前述の各実施形態において説明した投影装置用ケース５０，６０，７０，８０を用いることができる。なお、投影装置３００を収納状態とする場合には、投光口蓋３２１を閉じて、投影装置用ケース５０等のケース側係合部５６を収納用係合部３０にスライド係合させて装着する。
【００６１】
以上、本発明の実施形態を説明したが、本発明はこれに限定されることはなく、適宜変更を加えて実施することができる。例えば、本実施形態においては、投影サイズを三段階の大きさから選択するよう構成したが、二段階又は四段階以上から選択するように、長さの異なる調整用係合部４０を複数本設けるように構成してもよい。
【００６２】
また、投影状態における底面となる投影装置１０，３００の底面１４，３１４や、投影装置用ケース５０等の設置面部５２に、チルトフットを設けることもできる。このチルトフットは、底面１４等や設置面部５２とされる取り付け面に対して螺合接続され、高さ調整可能に形成される。よって、このチルトフットは、この高さ調整ねじにより、底面１４等や設置面部５２に対して水平度を調整可能に形成することができる。
【００６３】
また、本実施形態においては、投影装置用ケース５０等により、投射口２１，操作部２３，液晶部２５，各種端子２７を保護するように投影装置用ケースを形成したが、保護される部位はこれらの部位に限られない。すなわち、投影装置の本体部における外表面に設けられた重要で破損しやすい部位について保護されるように、本体部の一部が覆われるように投影装置用ケースを形成すればよい。
【００６４】
また、投影状態において投影装置用ケース５０等により、投影装置１０の本体部２０，３２０に形成された吸排気孔２２，３２２が塞がれてしまう場合には、投影装置用ケース５０等側にも吸排気孔を設けるようにしてもよい。
【００６５】
また、本実施形態においては、ケース側係合部５６を断面凸状に形成し、収納用係合部３０及び調整用係合部４０を凹状溝部として形成した。しかしながら、ケース側係合部５６と収納用係合部３０及び調整用係合部４０の凹凸関係は逆にして形成してもよい。すなわち、ケース側係合部と収納用係合部及び調整用係合部との係合は、スライド係合されていればよく、例えば、ケース側係合部は、連続していなくても、間欠直列状に設けられた複数の突起として形成してもよい。
【００６６】
以上、本発明の実施形態においては、投影装置１０の本体部２０に、収納用係合部３０と調整用係合部４０を形成した。一方、投影装置用ケース５０には、収納用係合部３０及び調整用係合部４０とスライド係合可能なケース側係合部５６を形成した。収納用係合部３０とケース側係合部５６が係合する方向は、調整用係合部４０とケース側係合部５６が係合する方向と反対方向となるように形成した。
【００６７】
これにより、投影時の投影サイズが変更可能な投影装置の支持台として利用することのできる投影装置用ケースをコンパクトに形成することができる。よって、携帯時にかさばらず携帯しやすくなり、収納時には収納場所の省スペース化に寄与することができる。さらに、投影装置の収納時においては、ガラス板によりカバーされ、多数のレンズが内蔵される投射口のように、重要かつ破損しやすい投影装置の本体部外表面に設けられた部位を保護することができる。また、収納状態と投影状態とで投影装置用ケースを本体部に係合して装着する方向が反対方向で、溝の端の壁部４２、４５により係合位置（高さ）が規定されるので、高さを固定するためのストッパー機能を別途設ける必要がなく、構造を簡単にすることができる。  
【００６８】
また、投影装置用ケース５０は、投射口２１，操作部２３，液晶部２５及び各種端子２７のうち、少なくとも一つを覆うように形成される。これにより、重要部位であって、特に破損しやすいこれらの部位を、収納状態において的確に保護することができる。よって、投影装置を携帯する際にも破損等の不具合が低減される。
【００６９】
また、投影装置用ケース５０は、少なくとも二つの面が開口された略直方体形状として形成される。これにより、シンプルで使いやすく、かつ、意匠性が高い投影装置用ケースを提供することができる。
【００７０】
また、収納用係合部３０及び調整用係合部４０は、本体部２０の側面の長手方向に沿って本体部２０の側面に設けた。よって、投影装置用ケース５０の投影装置１０の本体部２０への取り付けが、取り付け及び取り外しの作業がし易いよう本体部２０の長手方向のスライド操作により行うことができる投影装置を提供することができる。
【００７１】
また、調整用係合部４０は、投影サイズが選択できるように、各投影サイズに対応して長さの異なる第一係合部４１及び第二係合部４４により形成した。これにより、複数の投影サイズの選択をケース側係合部５６とのスライド係合により実現できるので、投影サイズの選択を容易に行うことができる。そして、閲覧者の人数や投影場所に応じて投影サイズを選択することができるので、フレキシブルな投影をすることができる投影装置を提供することができる。
【００７２】
また、第一係合部４１及び第二係合部４４のそれぞれには、「Ｍ」（例えば、Ｂ４サイズ（約１９．５インチ））や「Ｌ」（例えば、Ａ３サイズ（約２３．４インチ））の投影サイズを表す表記を記載した。これにより、選択したい投影サイズを即座に認識することができ、投影サイズの選択操作がし易い投影装置を提供することができる。
【００７３】
また、投影装置１０には、投影サイズ検出部を設け、この投影サイズ検出部の検出結果に基づいて、制御部は、投影光の輝度調節をするよう形成した。これにより、投影サイズが変化しても、一定の照度で投影される明るい投影を自動的に行うことができる投影装置を提供することができる。
【００７４】
また、投影装置１０には、投影サイズ検出部を設け、この投影サイズ検出部の検出結果に基づいて、制御部は、投影光の焦点調節をするよう形成した。これにより、投影サイズが変化しても、常にピントが合った投影状態に自動的に調整される投影装置を提供することができる。
【００７５】
また、投影装置３００は、投光口蓋３２１を有し、この投光口蓋３２１は、投射口３５３からの投影光を反射する非球面ミラー３５１と、非球面ミラー３５１からの投影光を投影面に出射する平面ミラー３５２と、を有するように形成した。これにより、投射口から投影面までの距離を長く取ることができるので、投影装置用ケースにより投影サイズの変更と重要部位の保護を可能としつつ、投影装置の本体部と投影面までの距離を短くした超短焦点タイプの投影装置を提供することができる。
【００７６】
また、投影装置用ケース６０，７０，８０は、設置面部５２による投影装置１０の支持を、設置面の面積を拡大することで補助する補助設置面部材６１，７１，８１を有するように形成した。これにより、安定して投影装置を支持することができる投影装置用ケースを備えた投影装置を提供することができる。
【００７７】
また、補助設置面部材６１は、投影装置用ケース６０とヒンジ接続されるよう形成した。これにより、簡単な構成で、補助設置面部材の操作がし易い投影装置用ケースを備えた投影装置を提供することができる。
【００７８】
また、補助設置面部材７１，８１は、設置面部５２と磁力により着脱自在に保持されるように形成した。これにより、着脱操作がし易く、確実に補助設置面部材を設置面に取り付けることができる投影装置用ケースを備えた投影装置を提供することができる。
【００７９】
また、補助設置面部材７１，８１は、機構的な係合により着脱自在に保持されるように形成した。これにより、簡単な機構的構成により補助設置面部材を投影装置用ケースに係合させることができるので、補助設置面部材が着脱操作しやすく、かつ、確実に設置面に保持することのできる投影装置用ケースを備えた投影装置を提供することができる。
【００８０】
また、投影装置用ケース５０の設置面部５２には、設置面部５２の水平度を調整する調整部を設けた。これにより、机上面の微小な歪み等により、投影面に映し出された画像に歪みがある場合でも、微小に水平度を調整することにより解消することができる。
【００８１】
また、調整部は、高さ調整ねじを備えたチルトフットにより構成した。これにより、調整操作がし易い調整部について、簡単な構成で実現することができる。
【００８２】
また、投影装置１０等の本体部２０等の内部を冷却するための吸排気を行う吸排気孔２２，３２２の形状を長孔により形成した。そして、この吸排気孔２２，３２２は、この長孔の長手方向を、収納用係合部３０や調整用係合部４０とケース側係合部５６とが係合する方向と平行になるように配置するよう形成した。これにより、吸排気孔と収納用係合部及び調整用係合部とが干渉することなく、配置可能となるので、強度を確保できるとともに、違和感のない配置となるので、意匠性が向上された投影装置を提供することができる。
【００８３】
また、投影装置１０の投影方法として、投影装置１０の本体部２０から投影装置用ケース５０を取り外す工程と、任意の投影サイズを選択する工程と、選択した投影サイズに合わせて、ケース側係合部５６を選択した調整用係合部４０に、投影装置用ケース５０を取り外した方向と反対方向からスライド係合する工程と、投影装置用ケース５０の設置面部５２を設置して、投影装置１０を下向き投影する工程と、を有するように形成した。
【００８４】
これにより、投影サイズを任意に選択して投影することができるとともに、収納状態と投影状態とで投影装置用ケースの取り付け方向が異なり、投影状態では、溝の端の壁部４２、４５により係合位置（高さ）が規定されて、使用者は高さを固定するための操作が不要になるので、投影装置の投影方法において、容易かつ短時間に、適切な状態で投影を行うことができる。
【００８５】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８６】
以下に、本願出願の最初の特許請求の範囲に記載された発明を付記する。
［１］投射口を含む投影部を有する本体部と、
投影時の設置面を有する投影装置用ケースと、
を含む投影装置であって、
前記本体部は、収納時に使用される収納用係合部及び投影時に使用される調整用係合部を有するとともに、
前記投影装置用ケースは、前記収納用係合部及び前記調整用係合部のそれぞれとスライド係合可能に形成されるケース側係合部を有し、
前記収納用係合部を前記ケース側係合部と係合させる方向が、前記調整用係合部を前記ケース側係合部と係合させる方向とは反対であることを特徴とする投影装置。
［２］前記投影装置用ケースは、前記本体部の外表面に形成される投射口、操作部、液晶部、各種端子のうち、少なくとも一つを覆うように形成されることを特徴とする前記［１］に記載の投影装置。
［３］前記投影装置用ケースは、少なくとも二つの面が開口された略直方体形状として形成されることを特徴とする前記［１］又は前記［２］に記載の投影装置。
［４］前記収納用係合部及び前記調整用係合部は、本体部側面の長手方向に沿って前記本体部側面に設けられていることを特徴とする前記［１］乃至前記［３］の何れか記載の投影装置。
［５］前記調整用係合部は、長さを異ならせて平行に複数設けられていることを特徴とする前記［１］乃至前記［４］の何れか記載の投影装置。
［６］前記調整用係合部には、該当する投影サイズ表示が記載されていることを特徴とする前記［５］に記載の投影装置。
［７］前記本体部は、前記投影部を制御する制御部と、投影サイズを検出する投影サイズ検出部と、を有し、
前記制御部は、前記投影サイズ検出部の検出結果に基づいて、投影光の輝度調節をすることを特徴とする前記［１］乃至前記［６］の何れか記載の投影装置。
［８］前記本体部は、前記投影部を制御する制御部と、投影サイズを検出する投影サイズ検出部と、を有し、前記制御部は、前記投影サイズ検出部の検出結果に基づいて、焦点調節をすることを特徴とする前記［１］乃至前記［７］の何れか記載の投影装置。
［９］前記本体部は、開閉可能に設けられた投光口蓋を有し、
前記投光口蓋は、前記投射口からの投影光を反射する非球面ミラーと、前記非球面ミラーからの投影光を投影面に出射する平面ミラーと、を有することを特徴とする前記［１］乃至前記［８］の何れか記載の投影装置。
［１０］前記投影装置用ケースは、前記設置面による支持を設置面の面積を拡大することで補助する補助設置面部材を有することを特徴とする前記［１乃至９］の何れか記載の投影装置。
［１１］前記補助設置面部材は、前記投影装置用ケースとヒンジ接続されていることを特徴とする前記［１０］に記載の投影装置。
［１２］前記補助設置面部材は、前記設置面と磁力により着脱自在に保持されることを特徴とする前記［１０］に記載の投影装置。
［１３］前記投影装置用ケースの前記設置面は、該設置面の水平度を調整可能とする調整部を有することを特徴とする前記［１］乃至前記［１２］の何れか記載の投影装置。
［１４］前記本体部は、前記本体部の内部の冷却を行うための長孔状に形成された吸排気孔を有し、
該吸排気孔は、長手方向が前記収納用係合部及び前記調整用係合部と前記ケース側係合部とがスライド係合する方向と平行となるよう配置されていることを特徴とする前記［１］乃至前記［１３］の何れか記載の投影装置。
［１５］投影装置の本体部から投影装置用ケースを取り外す工程と、
前記本体部に形成された調整用係合部のうち任意の前記調整用係合部を選択して投影サイズを選択する工程と、
選択した投影サイズに合わせて、前記本体部から前記投影装置用ケースを取り外した方向と反対方向から、前記投影装置用ケースに設けられたケース側係合部と選択した前記調整用係合部と、をスライド係合する工程と、
前記投影装置用ケースの設置面を設置して、下向きに投影する工程と、
を有することを特徴とする投影装置の投影方法。
【符号の説明】
【００８７】
１０  投影装置                  １４  底面
１８  傾斜部                    ２０  本体部
２１  投射口                    ２２  吸排気孔
２３  操作部                    ２５  液晶部
２７  各種端子                  ２８  吸排気孔
３０  収納用係合部              ３１  壁部
４０  調整用係合部              ４１  第一係合部
４２  壁部                      ４４  第二係合部
４５  壁部
５０  投影装置用ケース          ５１  保護面部
５１ａ端部                      ５２  設置面部
５３  保護側面部                ５３ａ大側面部
５３ｂ小側面部                  ５３ｃ側面連結部
５６  ケース側係合部            ５６ａ基端部
５６ｂ端部                      ６０  投影装置用ケース
６１  補助設置面部材            ６２  ヒンジ
６４  凹部                      ７０  投影装置用ケース
７１  補助設置面部材            ７２  固定突起
７３  挿入孔                    ７４  凹部
８０  投影装置用ケース
８１  補助設置面部材            ８２  凹部
８３  突起                      ８４  作動突起
８５  係合凹部                  １１０  投影面
９１  補助設置面部材
１０１  補助設置面部材
１２０  投影面                  １３０  投影面
２００  机上面                  ３００  投影装置
３１４  底面                    ３２０  本体部
３２１  投光口蓋                ３２２  吸排気孔
３２３  操作部                  ３２５  液晶部
３２７  端子部                  ３５１  非球面ミラー
３５２  平面ミラー              ３５３  投射口
【図１】
2015176035.tif 000003
【図２】
2015176035.tif 000004
【図３】
2015176035.tif 000005
【図４】
2015176035.tif 000006
【図５】
2015176035.tif 000007
【図６】
2015176035.tif 000008
【図７】
2015176035.tif 000009
【図８】
2015176035.tif 000010
【図９】
2015176035.tif 000011
【図１０】
2015176035.tif 000012
【図１１】
2015176035.tif 000013
【図１２】
2015176035.tif 000014